(57)【要約】【課題】  留守の場合にも訪問の有無のみならず訪問者が誰であるかも知ることができる携帯機を提供する。【解決手段】  訪問者が子機１０のスイッチ１１を操作すると子機１０に設けられたカメラ１２で訪問者を撮影し、親機２０により応答しなかった場合等には、カメラ１２の映像信号を画像圧縮手段３２により圧縮して通信制御装置３３により携帯機４０に送信する。そして、携帯機４０において受信した映像信号を画像伸長手段３６により伸長してモニタ４８に表示するように構成した。【選択図】    図１
2006115508.tif 000002
【特許請求の範囲】
【請求項１】
映像提供装置で撮影された映像信号を受信して映像を表示する携帯機であって、
前記映像提供装置から送信されるスイッチ操作又はセンサによる検出の通知を受信し、利用者から入力された映像要求を前記映像提供装置に送信し、当該映像要求に応じて前記映像提供装置から送信される蓄積された映像信号を受信し、当該映像提供装置から送信された映像信号による映像を表示することを特徴とする携帯機。
【発明の詳細な説明】
【技術分野】
【０００１】
この発明は、来訪者あるいはその履歴を外部の携帯機から知ることができるようにした技術に関する。
【背景技術】
【０００２】
従来のインターフォンとしては、図８に示すようなものが知られる。同図において、１０は玄関や門柱に取り付けられる子機、２０は屋内に取り付けられる親機である。子機１０は、スイッチ１１、ＣＣＤ等のカメラ１２、スピーカ１３およびマイク１４を有し、また、親機２０はブザー２４、スピーカ２５、マイク２６、モニタテレビ２７およびスイッチ２８を有する。
【０００３】
このようなインターフォンは、来訪者が子機１０のスイッチ１１を押すと、親機２０のブザー２４が鳴動するとともにスイッチ２８が閉成する。このため、カメラ１２により撮影された来訪者がモニタテレビ２７に映し出され、来訪者がマイク１４に向かって話す言葉がスピーカ２５から発音され、また、家人がマイク２６に向かって話して応答すればその言葉がスピーカ１３から発音される。
【発明の開示】
【発明が解決しようとする課題】
【０００４】
しかしながら、上述した従来のインターフォンにあっては、家人が留守にしていた場合、来訪者が誰であるかのみならず、来訪者の有無さえも知ることができないという問題がある。
この発明は、上記問題に鑑みなされたもので、留守にしていた場合でも来訪者の有無、来訪者が誰であるかを知ることができる携帯機を提供することを目的とする。
【課題を解決するための手段】
【０００５】
この発明は、映像提供装置で撮影された映像信号を受信して映像を表示する携帯機であって、前記映像提供装置から送信されるスイッチ操作又はセンサによる検出の通知を受信し、利用者から入力された映像要求を前記映像提供装置に送信し、当該映像要求に応じて前記映像提供装置から送信される蓄積された映像信号を受信し、当該映像提供装置から送信された映像信号による映像を表示することを特徴とする。
【０００６】
この発明にかかるインターフォンは、スイッチおよび該スイッチのオン操作で撮影を開始するカメラが設けられた子機と、該子機と接続され、該子機のカメラが出力する映像信号を圧縮する信号圧縮手段および該信号圧縮手段により圧縮された映像信号を送信する通信手段が設けられた親機と、該親機の通信手段と通信する通信手段、該通信手段により前記信号圧縮手段が圧縮した圧縮信号を受信して該圧縮信号を伸長する信号伸長手段および該信号伸長手段により伸長された映像信号を基に前記カメラの撮影映像を表示する表示手段が設けられた携帯機と、を備える。
【０００７】
望ましくは、この発明にかかるインターフォンは、親機に圧縮された映像データを蓄積する画像蓄積手段を設け、携帯機からの映像要求に応じて画像蓄積手段に蓄積された映像データを読み出して携帯機に送信する態様、また、少なくとも親機に暗証番号記憶手段を設け、携帯機にこの暗証番号記憶手段に記憶された暗証番号と携帯機から送信される暗証番号とが一致するか否かを判定し、一致する場合にのみ映像データを送信する態様、さらに、携帯機に送信する映像データあるいは蓄積する映像データに撮影日時（訪問日時）のデータを重畳し、モニタ上で訪問日時を識別可能な態様に構成する。
【０００８】
そして、子機は、玄関や門柱に取り付けられて有線あるいは無線で親機と接続され、前面にマイク、スピーカおよび押しボタンが、あるいは、ハンドセットとフックスイッチが設けられる。スイッチとしては、上記ハンドセットのフックスイッチ、来訪者が押す押しボタン、あるいは、赤外線等を利用した対人センサ等が用いられる。カメラは、周知のＣＣＤデジタル（ビデオ）カメラ等から構成され、スイッチのオンにより撮影を開始して該スイッチのオン期間あるいはスイッチのオンから所定時間だけ撮影を行う。
【０００９】
親機は、前述した従来のインターフォンと同様に、ブザー、モニタテレビ（表示手段）、マイク、スピーカおよび応答用のスイッチ等を備え、また、子機の映像信号を処理する映像処理部、携帯機との通信部、映像信号を圧縮する信号圧縮手段、映像信号を蓄積する画像蓄積手段および周知のＣＰＵ等からなる制御部を備え、さらに、留守モードと在宅モードを切り替え可能なモード選択スイッチ等が必要に応じて設けられる。
【００１０】
ブザーは、子機のスイッチと直接的に接続され、子機のスイッチのオン作動で所定の時間あるいは断続的に鳴動する。モニタテレビは、ＣＲＴや液晶等からなり、カメラの映像信号を基に映像を映し出す。マイクとスピーカは必要に応じてハンドセット等が用いられ、また、スイッチはハンドセットのフックスイッチ等が用いられる。モード選択スイッチは、予め準備された応答メッセージを出力する留守モードと、家人が応答する在宅モード等を切り替えて設定する。
【００１１】
映像処理部は、子機のカメラが出力する映像信号がアナログ信号であれば、映像信号をＡ／Ｄ変換する映像信号デコーダ、Ｄ／Ａ変換する映像信号エンコーダ等から構成される。映像信号としては、汎用のデジタルＲＧＢ信号、デジタルＹＣｒＣｂ信号、アナログＲＧＢ信号、ＮＴＳＣコンポジット信号、ＰＡＬ信号、ＳＥＣＡＭ信号等が挙げられる。この映像処理部は、必要に応じて、撮影の日時等のデータを映像信号に重畳する。
信号圧縮手段は、記憶装置に格納されたデータ圧縮プログラムを制御部のＣＰＵ等が実行すること等で達成される。この画像圧縮手段の方式としては、ＪＰＥＧ、ＭＰＥＧ−１，２、Ｈ．２６１、Ｈ．２６３等が挙げられる。
【００１２】
画像蓄積手段は、少なくとも１フレーム分の映像データを蓄積可能な容量を有する記憶装置、例えば、周知の半導体記憶装置、磁気ディスクを用いた記憶装置あるいはメモリカード等が用いられ、ＳＣＳＩやＰＣＭＣＩＡ等のインターフェースを有する。この画像蓄積手段は、映像信号がアナログ信号であればデジタル信号に変換して蓄積し、または、上記画像圧縮手段により圧縮された映像データを蓄積する。この画像蓄積手段は、制御手段により映像データの書込と読み出しが制御され、訪問者に対して家人が応答しない場合あるいは上記モード選択スイッチが留守モードに設定されている場合等に映像データを蓄積し、また、携帯機等から映像の要求があると映像データを出力する。
【００１３】
通信部は、携帯機と一般電話回線を介して通信を行う場合はブランチベル回路等の周知の電話回路から構成され、携帯機と移動体通信網等で接続する。この通信部は、訪問者があった場合（子機のスイッチが操作された場合）に圧縮された映像データまたは訪問者の有無のみのデータを携帯機に出力し、若しくは、携帯機からの映像要求を受信して映像要求に応じて携帯機に圧縮された映像信号を送信する。望ましい態様としては、この通信部は、携帯機識別用の暗証番号等のデータを格納し、携帯機から送信される暗証番号と照合して該暗証番号が一致した場合にのみ送信を行う。
制御部はＣＰＵ，ＲＯＭ，ＲＡＭをデータバス等で接続した周知のものが用いられる。この制御部は、映像処理部、通信部、画像圧縮手段および画像蓄積手段等と接続し、これらを制御する。
【００１４】
携帯機は、通信機能を有するページャ、携帯電話機あるいは携帯式パーソナルコンピュータ（いわゆるブックパソコン）、または、専用の端末機が用いられ、これらが液晶ディスプレイモニタ等の表示手段を備える。この携帯機は、上述した親機と同様に、制御部のＣＰＵとデータバスで接続された半導体記憶装置等にデータ伸長用のプログラムを有し、ＣＰＵがプログラムを実行することで受信した映像データを伸長して液晶ディスプレイに映像を表示する。
【００１５】
この発明にかかるインターフォンは、訪問者が子機のスイッチを操作すると、カメラが撮影を開始して訪問者を撮影する。そして、所定の時間内に家人が親機により応答しない場合、あるいは、モード選択スイッチが留守モードに設定されている場合等は、映像信号をデジタル信号に変換して圧縮し、この圧縮された映像データを撮影の度に、あるいは、画像蓄積手段に蓄積して携帯機から映像要求が通信により入力した時に、携帯機に送信する。そして、携帯機においては、映像データを伸長してモニタ等の表示手段に訪問者の映像等を表示する。このため、留守にしている場合でも訪問者の有無、また、訪問者が誰であるかを知ることができる。
【発明の効果】
【００１６】
この発明によれば、訪問者を子機のカメラにより撮影し、このカメラの映像データを圧縮して携帯機に送信し、携帯機のモニタに表示するため、留守にしている場合でも訪問者の有無のみならず訪問者が誰であるかも知ることができる。
特に、この発明は、親機に画像蓄積手段を設け、この画像蓄積手段に圧縮された映像データを蓄積し、この蓄積された映像データを携帯機からの要求に応じて携帯機に送信することで、訪問者の有無等を適宜の時に知ることができ、より利便性に優れる。
また、この発明は、撮影の日時を映像データに重畳することで、訪問の日時も容易に知ることができ、後の訪問者に対する対処もより容易になる。
【発明を実施するための最良の形態】
【００１７】
以下、この発明の実施の形態を図面を参照して説明する。
図１はこの発明の第１の実施の形態にかかるインターフォンを示すブロック図である。
なお、前述した図８に示すインターフォンと共通する部分には同一の番号を付して説明する。
【００１８】
図１において、１０は子機、２０は親機、４０は携帯機を示す。子機１０は、スイッチ１１、カメラ１２、スピーカ１３およびマイク１４を有し、これらがケーブルで親機２０に接続される。スイッチ１１は押しボタンスイッチ等が、カメラ１２はアナログ映像信号を出力するＣＣＤビデオカメラ等が、スピーカ１３およびマイク１４は周知のものが用いられ、これらが子機ケース前面等に配設される。カメラ１２は、スイッチ１１の操作に対して親機２０から応答がない場合はスイッチ１１の操作から所定時間撮影を行い、また、スイッチ１１の操作に対して親機２０からの応答があった場合は応答時間において撮影を行う。
【００１９】
親機２０は、応答部２０Ａ、映像処理部２０Ｂおよび制御部２０Ｃからなり、応答部２０Ａがブザー２４、スピーカ２５、マイク２６、モニタ２７、スイッチ２８および受話ボタン３４を有する。ブザー２４は、子機１０のスイッチ１１と接続され、スイッチ１１の操作によりスイッチ１１が操作されている間あるいはスイッチ１１の操作後の所定の時間だけ鳴動する。スピーカ２５とマイク２６は、周知のハンドセットとして構成され、スイッチ２８を介してそれぞれが子機１０のマイク１４とスピーカ１３と接続する。モニタ２７は、液晶あるいはＣＲＴから構成され、子機１０のカメラ１２とスイッチ２８を介して接続する。
【００２０】
スイッチ２８は、モニタ２７とカメラ１２、マイク２６とスピーカ１３、スピーカ２５とマイク１４の間に介装されたコンタクタを有し、これらコンタクタが受話ボタン３４のオン作動で閉成する。受話ボタン３４は、上記ハンドセットのフックスイッチ、あるいは、親機ケースに設けられた応答押しボタン等から構成される。この受話ボタン３４は、ハンドセットのオフフックにより閉成、あるいは、押しボタンの押し下げ操作により閉成し、ハンドセットのオンフックあるいは押しボタンの操作から所定時間経過すると開成する。
【００２１】
映像処理部２０Ｂは、映像信号デコーダ２９、フレームメモリ３０および映像信号エンコーダ３１を有する。映像信号デコーダ２９は、子機１０のカメラ１２と接続し、このカメラ１２が出力するアナログ映像信号をデジタル信号に変換してフレームメモリ３０に出力する。フレームメモリ３０は、１フレームの映像データを蓄積するいわゆるフレームバッファであって、制御部２０ＣのデータバスＢ１と接続する。このフレームメモリ３０は、制御部のＣＰＵにより映像データの書込（蓄積）と読出が制御され、映像信号デコーダによりデジタル変換された信号を蓄積し、また、デジタル映像信号を映像信号エンコーダ３１と制御部に周期的に出力する。映像信号エンコーダ３１は、メモリ３０に蓄積された映像信号をアナログ信号に変換してモニタ２７に出力する。
【００２２】
制御部は、ＣＰＵ２１、ＲＯＭ２２、ＲＡＭ２３、画像圧縮手段３２および通信制御装置３３をデータバスＢ１で接続して構成される。周知のように、ＲＯＭ２２にはインターフォン機能を実現するためのプログラム等が格納され、ＣＰＵ２１はＲＯＭ２２のプログラムを実行する。画像圧縮手段３２はデータ圧縮プログラムを格納したメモリ等から構成され、このデータ圧縮プログラムをＣＰＵ２１が読み出して実行する。通信制御装置３３は、一般電話回線と接続するための各種の回路やモデムからなり、ＣＰＵ２１により制御される。この通信制御装置３３は、一般電話回線による携帯機４０からの映像要求信号を受信してＣＰＵ２１等に出力し、また、圧縮された映像信号を一般電話回線により携帯機４０に送信する。
【００２３】
携帯機４０は、ＣＰＵ４１、ＲＯＭ４２、ＲＡＭ４３、通信制御装置４４、画像伸長手段４５およびフレームメモリ４６をデータバスＢ２で接続し、フレームメモリ４６に映像信号デコーダ４７を介しモニタ４８を接続してなり、また、図示しないデータ入力装置等を備える。通信制御装置４４は、移動体通信機能を実現する各種回路およびモデム等から構成される。この通信制御装置４４は、ＣＰＵ４１により制御され、データ入力装置により入力された映像要求や暗証番号等のデータを送信し、また、圧縮された映像信号を受信してデータバスＢ２に出力する。前述した親機２０の画像圧縮手段３２と同様に、画像伸長手段４５はメモリ等に格納されたデータ伸長プログラム等からなり、このデータ伸長プログラムをＣＰＵ４１が実行して受信した映像信号を伸長する。
【００２４】
フレームメモリ４６は、前述したフレームメモリ３０と同様のいわゆるフレームバッファであって、１フレームの映像データを格納して周期的に映像エンコーダ４７に出力する。映像信号エンコーダ４７は、フレームメモリ４６から出力された映像デジタル信号をアナログ信号に変換してモニタ４８に出力する。モニタ４８は、液晶ディスプレイ等からなり、映像信号エンコーダ４７から出力される映像信号に基づき画像を映し出す。
【００２５】
この実施の形態にかかるインターフォンにあっては、来訪者が子機１０のスイッチ１１を操作すると、カメラ１２が来訪者を撮影する。そして、親機２０は、子機１０のスイッチ１１の操作でブザー２４が鳴動し、また、スイッチ２８が閉成してモニタ２７に来訪者の姿が映し出される（図３ａ参照）。ここで、来訪者がスイッチ１１を操作してから所定の時間内に家人が応答しない場合、あるいは、モード選択スイッチが留守モードに設定されている場合、カメラ１２の映像信号は映像信号デコーダ２９によりデジタル変換されてフレームメモリ３０を経由して少なくとも１フレームの映像データが取り込まれ、圧縮されてＲＡＭ２３等に一時的に格納される。
【００２６】
この後、親機２０は圧縮された映像データを通信制御装置３３により携帯機４０に送信し、この映像データが携帯機４０により受信される。そして、携帯機４０は受信した画像信号を伸長し、アナログ変換してモニタ４８に映し出す（図３ａ参照）。このため、留守にしていても訪問者の有無、また、訪問者が誰であるかを知ることができる。
【００２７】
図２はこの発明の第２の実施の形態にかかるインターフォンを示す模式ブロック図である。
なお、この実施の形態および後述する実施の形態では、上述した第１の実施の形態にかかるインターフォンと同一の部分には同一の番号を付して説明を省略する。
【００２８】
この第２の実施の形態は、親機２０に再生ボタン３７を、また、画像蓄積手段３５と画像伸長手段３６を設けるとともに、携帯機４０に映像要求機能を付加して構成される。画像蓄積手段３５は、ハードディスクやメモリカードからなり、汎用のインターフェース、例えば、ＳＣＳＩ、ＳＣＳＩ２あるいはＰＣＭＣＩＡを有する。この画像蓄積手段３５は、データバスＢ１に接続され、画像圧縮手段３２により圧縮された映像データを蓄積記憶する。画像伸長手段３６は、前述した携帯機４０の画像伸長手段４５と同様に、データバスＢと接続され、フレームメモリ３０から取り込まれる映像信号を伸長する。再生ボタン３７は、ＣＰＵ２１に接続される。
【００２９】
この第２の実施の形態にあっては、訪問者があった場合のカメラ１２の撮影データを圧縮して画像蓄積手段３５に蓄積する。そして、家人が帰宅した場合等に再生ボタン３７が操作されると、画像蓄積手段３６に蓄積された画像データを読み出して画像伸長手段３６により伸長し、フレームメモリ３０に出力してモニタ２７に訪問者の画像を表示する。
また、家人が出先において携帯機４０を操作して映像要求を送信した場合、図４に示すように、この映像要求を受信した親機２０は格納された全ての画像データを携帯機４０に送信し、全ての画像データを送信後に画像送信終了信号を送信する。そして、携帯機４０は、受信した画像信号を伸長し、アナログ変換してモニタ４８に映し出す（図３ａ参照）。このため、留守にしていても出先から訪問者の有無、また、訪問者が誰であるかを知ることができる。
【００３０】
図５はこの発明の第３の実施の形態にかかるインターフォンを示すブロック図である。
この第３の実施の形態は、時間信号を出力するクロック（時計）３８を親機２０に設け、映像信号に撮影日時を重畳して記憶し、また、図３ｂに示すように訪問者の撮影画像に併せて撮影日時（訪問の日付と時刻）を表示する。このため、訪問者の訪問日時も特定することができる。なお、その他の構成は上述した図の実施の形態と同様である。
【００３１】
図６はこの発明の第４の実施の形態にかかるインターフォンを示すブロック図である。
この第４の実施の形態は、親機２０に暗証番号記憶装置３９を、また、携帯機４０にも暗証番号記憶装置４９を設け、携帯機４０から画像要求を送信する際には暗証番号を送信し、親機２０は暗証番号を照合して一致した場合のみ映像データを携帯機４０に送信する。このため、訪問の有無等のデータが第３者に漏れることを防止できる。
【００３２】
この実施の形態にあっては、親機２０から映像データを送信するに際して、親機２０において図７ａのフローチャートに示す一連の処理を実行し、また、携帯機４０においては図７ｂのフローチャートに示す処理を実行する。すなわち、親機２０においては、先ず、ステップＰ１で暗証番号送信要求を送信し、ステップＰ２で携帯機４０からの暗証番号の送信を待ち、携帯機４０から暗証番号を受信すると、ステップＰ３,４で記憶している暗証番号と受信した暗証番号が一致するか否かを比較する。そして、ステップＰ４で暗証番号が一致しない場合は再度ステップＰ１からの処理を繰り返し、また、一致した場合は画像送信要求の送信許可を携帯機４０に送信してステップＰ６で画像送信要求の受信に備える。
【００３３】
また、携帯機４０においては、ステップＱ１で親機２０からの暗証番号送信要求の受信に備え、ステップＱ２で暗証番号送信要求を受信すると、ステップＱ３で暗証番号記憶装置４９から暗証番号を読み出してステップＱ４で暗証番号を親機２０に送信し、ステップＱ５で親機２０からの送信に備える。そして、ステップＱ６において、親機２０から送信された信号が再度の暗証番号送信要求か画像送信要求の送信許可か否かを判別し、暗証番号送信要求を受信した場合はステップＱ３からの処理を再度繰り返し、また、画像送信要求の送信許可であれば画像送信要求を送信する。
【図面の簡単な説明】
【００３４】
【図１】この発明の第１の実施の形態にかかるインターフォンのブロック図である。
【図２】この発明の第２の実施の形態にかかるインターフォンのブロック図である。
【図３】ａが同インターフォンのモニタに映し出される訪問者の映像を模式的に示す図、ｂが同訪問者の映像に重ねて撮影日時を併せて表示した映像を模式的に示す図である。
【図４】同インターフォンの作用を説明するタイミングチャートである。
【図５】この発明の第３の実施の形態にかかるインターフォンのブロック図である。
【図６】この発明の第４の実施の形態にかかるインターフォンのブロック図である。
【図７】同インターフォンの制御処理を示すフローチャートであり、ａが親機、ｂが子機の制御処理を示す。
【図８】従来のインターフォンのブロック図である。
【符号の説明】
【００３５】
１０      子機
１１      スイッチ
１２      カメラ
１３      スピーカ
１４      マイク
２０      親機
２１      ＣＰＵ
２７      モニタ
３２      画像圧縮手段
３３      通信制御装置
３４      受話ボタン
３５      画像蓄積手段
３６      画像伸長手段
３８      時計
３９      暗証番号記憶装置
４０      携帯機
４１      ＣＰＵ
４４      通信制御装置
４５      画像伸長手段
４８      モニタ
４９      暗証番号記憶装置
【図１】
2006115508.tif 000003
【図２】
2006115508.tif 000004
【図３】
2006115508.tif 000005
【図４】
2006115508.tif 000006
【図５】
2006115508.tif 000007
【図６】
2006115508.tif 000008
【図７】
2006115508.tif 000009
【図８】
2006115508.tif 000010